(57)【要約】      （修正有）【課題】割れて破片が飛び散る事が無く、倒れても容易に水がこぼれにくく、廃棄処理にあたっては焼却またはリサイクルが出来る素材で出来ており、色・柄・デザイン・形状が自由に設定できる花瓶の提供。【解決手段】紙または段ボール製の容器２と、その容器内に、焼却可能または家庭用ゴミとして処分できる素材の吸水性スポンジ５を使用し、吸水性スポンジから水が容器内に漏れ出ないための非通水性の紙またはプラスチックフィルム４から構成されることにより、安全でなおかつ地球に優しい紙花瓶。【選択図】図２
0003115242.tif 000002
【実用新案登録請求の範囲】
【請求項１】
底面と側面を有する紙製の本体に、吸水性スポンジを内包する容器である。前記底面および側面を構成する紙が、段ボール原紙、紙、紙加工品、またはそれらを貼り合わせたものであることを特徴とする紙花瓶。
【請求項２】
使用後の廃棄処理については、焼却またはリサイクルできる素材で構成されることを特徴とする請求項１に記載の紙花瓶。
【考案の詳細な説明】
【技術分野】
【０００１】  本考案は、紙及び段ボールを素材とした容器の中に、吸水性スポンジを内包する花瓶である。
【背景技術】
【０００２】  一般に花瓶は金属、陶器、ガラス等からなり、割れやすい物や、重い物で出来ている。また容器の中に水が入っている為、転倒した場合、中の水がこぼれてしまう。又それらの容器は非燃焼性の物、通常の家庭ゴミとして廃棄・リサイクルできない材質の物が多く、処分に困るものであった。その為いけ花、フラワーアレンジメントといったかたちで花と接することを楽しむ人々は、花瓶について非常に限定された柄・形状のものを継続的に使用せざるを得なかった。
【考案の開示】
【考案が解決しようとする課題】
【０００３】  花瓶は、一度転倒、落下させてしまうと瓶が割れ、破片が飛び散り危険である。また水もこぼれ掃除等の負担が増大する。従って、紙花瓶を使用することにより、割れずに、容易に水が漏れ出にくく、さらに家庭用ゴミとして廃棄、またはリサイクルや焼却処分ができる。またあらゆる花のアレンジに合わせて自由自在に柄・デザイン・形状を提供することができ、前述の欠点を解決しようとするものである。
【課題を解決するための手段】
【０００４】  上記の課題を解決するために、本考案の花瓶は、紙または段ボール製の容器と、その容器内に、焼却可能または家庭用ゴミとして処分できる素材の吸水性スポンジを使用し、吸水性スポンジから水が容器内に漏れ出ないための非通水性の紙またはプラスチックフィルムから構成されていることにより問題点を解決している。
【考案の効果】
【０００５】  本考案の花瓶は、焼却またはリサイクル可能な紙、プラスチックフィルム、吸水性スポンジで構成されており廃棄が容易である。また低価格で提供することが出来る。また、割れてもその破片が飛び散ることが無いため安全である。そして転倒した場合でも容易に水が漏れ出にくい。さらに容器の段ボール・紙には色・柄・印刷等のデザインを自由自在に施せるため、花のアレンジメントとの組み合わせは非常に多種多様となり、活用性・有用性が非常に高い。
【考案を実施するための最良の形態】
【０００６】  本考案の容器は、紙または段ボールにより構成される。この紙にはさまざまな材質、色、柄のものがあり、また印刷は自由である。また紙の表面にたとえば和紙といった別の紙の素材を貼り合わせて使用することも可能である。容器の中には焼却可能な吸水性スポンジを使用する。この吸水性スポンジをあらかじめ水に浸し染みこませてから使用するが、この吸水性スポンジからの水が紙製容器に浸透しないために、非水性の素材を使用する。これはプラスチックフィルムまたは非通水性の紙を使用する。また吸水性スポンジを覆う形状については側面及び底面と紙製容器が直接に接地しないのが目的であるため、袋状でもシート状等どちらでもよい。
【実施例１】
【０００７】  本考案に係る花瓶の実施例について添付図面を参照して説明する。図１に示すように、１は紙製の花瓶であり、２は容器本体で、内部底面に３の台紙を入れその上に４の非通水性素材を敷き下側から５吸水性スポンジを包み込む。３の台紙の上面と２容器本体の内部側面が５吸水性スポンジと接地しないような構造となっている。【０００８】  前記非通水性素材は、５吸水性スポンジと２容器本体および３の台紙が直接接しないためのものであり、通常はシート状または袋状のものを使用する。素材としては、プラスチックフィルムまたは耐水性紙等を使用する。【０００９】  図３は実施例１の紙製容器本体であって、折曲線１９、２０、３３に沿って折り曲げ、側面となるＭ２の内面に糊代部分Ｍ８，Ｍ９を接着させるものである。この状態に於いて容器本体は折り畳まれた状態となっており、実際に使用されるまでの保管、輸送に適した形状となっている。その後使用する際の組み立てについてはまず折曲線１７、１８、２１，２２，１３，３６に沿って折り曲げることにより底面及び側面が組み立てられ、次に折曲線２５，２６，２７，２８，２３，２４，２９，３０に沿ってＭ６の内側にＭ１０、Ｍ７の内側にＭ１１を折り曲げ、折曲線１５，１６に沿ってＭ５を内側に折り曲げ、このＭ５とＭ４の間にＭ１３、Ｍ１４を挟みこみ、Ｂ３をＢ７，Ｂ４をＢ５に差し込む。同様に折曲線１１，１２に沿ってＭ１を内側に折り曲げ、このＭ１とＭ２の間にＭ１２、Ｍ１５を挟みこみ、Ｂ１をＢ８，Ｂ２をＢ６に差し込むことによって容器本体を完成させる。【００１０】  図４は図２の３容器内部に入れる台紙であり、折曲線３７、３８、３９、４０に沿って折り曲げ、容器底に入れる。この台紙は容器の高さ等によって必要としない場合もある。
【実施例２】
【００１１】  図５は前記容器本体を別の展開方法によって作成するものである。折曲線４６、４７、４８、４９、５０、に沿って折り曲げ、一方の側面となるＭ２５の内面に糊代部分Ｍ３１，Ｍ３４を接着させ、もう一方の側面となるＭ２３の内面に糊代部分Ｍ３２，Ｍ３３を接着させる。そして曲線５７，５８，４３，４４，５５，５６，４１，４２に沿ってＭ２７の内側にＭ２８、Ｍ２９の内側にＭ３０を折り曲げ、折曲線５３，５４に沿ってＭ２６を内側に折り曲げ、このＭ２６とＭ２５の間にＭ３５、Ｍ３８を挟みこみ、Ｂ９をＢ１３，Ｂ１０をＢ１５に差し込む。同様に折曲線５１，５２に沿ってＭ２４を内側に折り曲げ、このＭ２４とＭ２３の間にＭ３６、Ｍ３７を挟みこみ、Ｂ１１をＢ１４，Ｂ１２をＢ１６に差し込むことによって容器本体を完成させる。
【図面の簡単な説明】
【００１２】
【図１】本考案の一例の完成斜視図
【図２】図１の分解斜視図
【図３】図１の２容器本体を展開した状態の平面図（実施例）
【図４】図１の３台紙を展開した平面図
【図５】図１の２容器本体を別の展開をした状態の平面図（実施例２）
【符号の説明】
【００１３】  １  紙花瓶
２  容器本体
３  台紙
４  非通水性素材
５  吸水性スポンジ
６  容器本体（実施例２）
１１〜３６      容器本体２（実施例１）の折曲線
Ｂ１〜Ｂ８      容器本体２（実施例１）の差込口
Ｍ１〜Ｍ１７    容器本体（実施例１）２の面
３７〜４０      台紙３の折曲線
Ｍ１８〜Ｍ２１  台紙３の面
４１〜６０      容器本体２（実施例２）の折曲線
Ｂ９〜Ｂ１６    容器本体２（実施例２）の差込口
【図１】
0003115242.tif 000003
【図２】
0003115242.tif 000004
【図３】
0003115242.tif 000005
【図４】
0003115242.tif 000006
【図５】
0003115242.tif 000007
【手続補正書】
【提出日】平成17年7月13日(2005.7.13)
【手続補正１】
【補正対象書類名】実用新案登録請求の範囲
【補正対象項目名】全文
【補正方法】変更
【補正の内容】
【実用新案登録請求の範囲】
【請求項１】
底面と側面を有する紙製の本体に、吸水性スポンジを内包する容器であって、前記底面および側面を構成する紙が、段ボール原紙、紙、紙加工品、またはそれらを貼り合わせたものであることを特徴とする紙花瓶。
【請求項２】
使用後の廃棄処理については、焼却またはリサイクルできる素材で構成されることを特徴とする請求項１に記載の紙花瓶。